(57)【特許請求の範囲】
【請求項１】
ゴースト除去手段と、前記ゴースト除去手段から出力される映像信号を処理して映像表示手段に供給する信号処理手段と、前記ゴースト除去手段から出力される映像信号を微分する１次微分回路と、速度変調による画質補正手段と、前記速度変調の効果を可変に制御するために前記１次微分回路に接続された効果可変手段とを備え、前記ゴースト除去手段によりゴーストの除去演算が行われる場合に前記ゴースト除去手段の動作を検出して前記信号処理手段における映像信号の輪郭補正の効果を低減させるとともに前記効果可変手段により前記速度変調による画質補正手段の効果を変化させるようにしたことを特徴とするテレビジョン受像機。
【請求項２】
ゴースト除去手段と、前記ゴースト除去手段から出力される映像信号を処理して映像表示手段に供給する信号処理手段と、前記ゴースト除去手段から出力される映像信号を微分する１次微分回路と、速度変調による画質補正手段と、前記速度変調の効果を可変に制御するために前記１次微分回路に接続された利得可変手段とを備え、前記ゴースト除去手段によりゴーストの除去演算が行われる場合に前記ゴースト除去手段の動作を検出して前記信号処理手段における映像信号の輪郭補正の利得を低減させるとともに前記利得可変手段により前記速度変調による画質補正手段の利得を変化させることを特徴としたテレビジョン受像機。
【請求項３】
ゴースト除去手段と、前記ゴースト除去手段から出力される映像信号を処理して映像表示手段に供給する映像信号処理手段と、前記ゴースト除去手段から出力される映像信号を微分する１次微分回路と、速度変調による画質補正手段と、前記速度変調の効果を可変に制御するために前記１次微分回路に接続された周波数特性可変手段とを備え、前記ゴースト除去手段によりゴーストの除去演算が行われる場合に前記ゴースト除去手段の動作を検出して前記周波数特性可変手段により前記速度変調手段の周波数特性を低減させるようにしたことを特徴とするテレビジョン受像機。
【請求項４】
ゴースト除去手段と、前記ゴースト除去手段から出力される映像信号を処理して映像表示手段に供給する映像信号処理手段と、前記ゴースト除去手段から出力される映像信号を微分する１次微分回路と、速度変調による画質補正手段と、前記速度変調の効果を可変に制御するために前記１次微分回路に接続されたコアリング量可変手段とを備え、前記ゴースト除去手段によりゴーストの除去演算が行われる場合に前記ゴースト除去手段の動作を検出して前記コアリング量可変手段により前記速度変調による画質補正手段のコアリング量を増加させるようにしたことを特徴とするテレビジョン受像機。
【請求項５】
ゴースト除去手段と、前記ゴースト除去手段から出力される映像信号を処理して映像表示手段に供給する映像信号処理手段と、前記ゴースト除去手段から出力される映像信号を微分する１次微分回路と、速度変調による画質補正手段と、前記速度変調の効果を可変に制御するために前記１次微分回路に接続された振幅制限手段とを備え、前記ゴースト除去手段によりゴーストの除去演算が行われる場合に前記ゴースト除去手段の動作を検出して前記速度変調による画質補正手段における最大振幅の制限値が小さくなるように前記振幅制限手段により振幅制限レベルを変化させることを特徴としたテレビジョン受像機。
【請求項６】
ゴースト除去手段と、前記ゴースト除去手段から出力される映像信号を処理して映像表示手段に供給する映像信号処理手段と、前記ゴースト除去手段から出力される映像信号を微分する１次微分回路と、速度変調による画質補正手段と、前記速度変調の効果を可変に制御するために前記１次微分回路に接続されたピーキング周波数可変手段とを備え、前記ゴースト除去手段によりゴーストの除去演算が行われる場合に前記ゴースト除去手段の動作を検出して前記ピーキング周波数可変手段により前記速度変調による画質補正手段のピーキング周波数が低くなるように変化させることを特徴としたテレビジョン受像機。
【発明の詳細な説明】
【０００１】
【発明の属する技術分野】
本発明は、ゴースト除去手段（以降ＧＲＳと称す）を備えたテレビジョン受像器における速度変調による画質補正に関するものである。
【０００２】
【従来の技術】
従来、この分野、すなわちＧＲＳを備えたテレビジョン受像器の画質補正に関する内容としては、映像信号の輪郭補正のゲインを可変しているというものが主流を占めていた。
【０００３】
【発明が解決しようとする課題】
ところが、ＧＲＳが動作することによって周波数特性が伸びる形となる。その為ノイズ等も目立つ様になってくるが、この時に映像信号に輪郭補正を行うとノイズ成分まで強調する事になってしまう。
【０００４】
そこで、ＧＲＳの動作時でもノイズの強調無く輪郭の補正を行う手段が必要となっていた。
【０００５】
【課題を解決するための手段】
上記課題を解決するために本発明では、ＧＲＳ動作時に映像信号に輪郭補正を行うのではなく、ＣＲＴの電子ビームを速度変調することにより輪郭の補正を行い且つ、ＧＲＳ動作時と、動作していない時とで、その効果を可変する事により常に安定した画質補正を提供する物である。
【０００６】
【発明の実施の形態】
本発明の請求項１に記載のテレビジョン受像器は、ゴースト除去手段（ＧＲＳ）１と、１次微分回路２と、１次微分回路に接続された効果可変手段３とその出力の接続された速度変調用コイル４のドライブ回路５とを備え、前記ＧＲＳ１が動作している事を検出して、前記効果可変手段３にて、速度変調の効果を可変し画質の補正を行っている。
【０００７】
本発明の請求項２に記載のテレビジョン受像器は、ゴースト除去手段（ＧＲＳ）１と、１次微分回路２と、１次微分回路に接続された利得可変手段６とその出力の接続された速度変調用コイル４のドライブ回路５とを備え、前記ＧＲＳ１が動作している事を検出して、前記利得可変手段６にて、速度変調のゲインを可変し画質の補正を行っている。
【０００８】
本発明の請求項３に記載のテレビジョン受像器は、ゴースト除去手段（ＧＲＳ）１と、１次微分回路２と、１次微分回路に接続された周波数特性可変手段７とその出力の接続された速度変調用コイル４のドライブ回路５とを備え、前記ＧＲＳ１が動作している事を検出して、前記周波数特性可変手段７にて、速度変調の効果を可変している。
【０００９】
本発明の請求項４に記載のテレビジョン受像器は、ゴースト除去手段（ＧＲＳ）１と、１次微分回路２と、１次微分回路に接続されたコアリング量可変手段８とその出力の接続された速度変調用コイル４のドライブ回路５とを備え、前記ＧＲＳが動作している事を検出して、前記コアリング量可変手段８にて、速度変調の効果を可変している。
【００１０】
本発明の請求項５に記載のテレビジョン受像器は、ゴースト除去手段（ＧＲＳ）１と、１次微分回路２と、１次微分回路に接続された振幅制限手段９とその出力の接続された速度変調用コイル４のドライブ回路５とを備え、前記ＧＲＳが動作している事を検出して、前記振幅制限手段９にて、速度変調の効果を可変している。
【００１１】
本発明の請求項６に記載のテレビジョン受像器は、ゴースト除去手段（ＧＲＳ）１と、１次微分回路２と、１次微分回路に接続されたピーキング周波数可変手段１０とその出力の接続された速度変調用コイル４のドライブ回路５とを備え、前記ＧＲＳが動作している事を検出して、前記ピーキング周波数可変手段１０にて、速度変調の効果を可変している。
【００１２】
（実施の形態１）
図１は本発明の請求項１に記載のテレビジョン受像器の概略構成図であり、図１において、ＧＲＳ１にて処理された映像信号は、速度変調用として１次微分回路２に入力され、効果可変回路３にてＧＲＳ１の動作に応じて効果の可変を行い、ドライブ回路５を経て、速度変調コイル４に出力される。
【００１３】
一方、ＧＲＳ１にて処理された映像信号は、信号処理部１１において処理された後、ＣＲＴ１２において表示される。速度変調コイル４は、入力された信号を用いて、ＣＲＴ内の電子ビームに対して水平方向の速度変調を行う。
【００１４】
（実施の形態２）
図２は本発明の請求項２に記載のテレビジョン受像器の概略構成図であり、図２において、ＧＲＳ１にてゴースト除去機能が開始され、処理された映像信号は、速度変調用として１次微分回路２に入力され、利得可変回路６にてＧＲＳ１の動作に応じて輪郭補正の利得の可変を行い、ドライブ回路５を経て、速度変調コイル４に出力される。
【００１５】
ここで、一般にＧＲＳ処理された映像信号は、高周波帯域において周波数特性が上がる特徴を持つため、ＧＲＳ１が停止している場合に比べて、信号処理部１１で行われる輪郭補正のゲイン、すなわち、輪郭強調の度合いを低減させ、輪郭補正を緩やかにする。その場合、速度変調側では、利得可変回路６において輪郭補正のゲインを上げ、輪郭補正の効果を補う働きをする。
【００１６】
（実施の形態３）
図３は本発明の請求項３に記載のテレビジョン受像器の概略構成図であり、図３において、ＧＲＳにて処理された映像信号は、速度変調用として１次微分回路２に入力され、周波数特性可変回路７にてＧＲＳ１の動作に応じて周波数特性の可変を行い、ドライブ回路５を経て、速度変調コイル４に出力される。
【００１７】
ここで、ＧＲＳ１が動作を開始すると、周波数特性可変回路７は、ＧＲＳ１が停止している場合に比べて、周波数特性を低減させるように動作する。これは、ＧＲＳが動作することによって周波数特性が伸びる形となるからである。
【００１８】
（実施の形態４）
図４は本発明の請求項４に記載のテレビジョン受像器の概略構成図であり、図４において、ＧＲＳにて処理された映像信号は、速度変調用として１次微分回路２に入力され、コアリング量可変回路８にてＧＲＳ１の動作に応じてコアリング量の可変を行い、ドライブ回路５を経て、速度変調コイル４に出力される。
【００１９】
ここで、コアリング量可変回路８は、ＧＲＳ処理された映像信号に輪郭補正を行うことによりノイズが目立つことを防ぐため、ＧＲＳ１が動作中は、コアリング量を増加させ、微弱な信号の変化を強調し過ぎないようにする。
【００２０】
（実施の形態５）
図５は本発明の請求項５に記載のテレビジョン受像器の概略構成図であり、図５において、ＧＲＳにて処理された映像信号は、速度変調用として１次微分回路２に入力され、振幅制限量可変回路９にてＧＲＳ１の動作に応じて振幅制限量の可変を行い、ドライブ回路５を経て、速度変調コイル４に出力される。
【００２１】
ここで、振幅制限レベル可変回路９は、ＧＲＳ１の動作中、ＧＲＳ１が停止の場合に比べて最大の振幅の制限値を小さくするように動作する。これは、実施の形態２において説明したように、輪郭補正のゲインを増加させた場合に有効である。
【００２２】
（実施の形態６）
図６は本発明の請求項６に記載のテレビジョン受像器の概略構成図であり、図６において、ＧＲＳにて処理された映像信号は、速度変調用として１次微分回路２に入力され、ピーキング周波数可変回路１０にてＧＲＳ１の動作に応じてピーキング周波数の可変を行い、ドライブ回路５を経て、速度変調コイル４に出力される。
【００２３】
ここで、ピーキング周波数可変回路１０は、ＧＲＳ１の動作中、ＧＲＳ１が停止の場合に比べてピーキング周波数、すなわち、輪郭補正の効果が最大となる周波数帯域を低く設定するように動作する。これは、ＧＲＳが動作することによって周波数特性が伸びる形となるからである。
【００２４】
【発明の効果】
ＧＲＳを備えるテレビジョン受像機においてＧＲＳの除去動作に連動してその効果等を可変する事により、ノイズをあまり強調することなく画質補正が出来る。
【図面の簡単な説明】
【図１】本発明の実施の形態１を示す概略構成図
【図２】本発明の実施の形態２を示す概略構成図
【図３】本発明の実施の形態３を示す概略構成図
【図４】本発明の実施の形態４を示す概略構成図
【図５】本発明の実施の形態５を示す概略構成図
【図６】本発明の実施の形態６を示す概略構成図
【符号の説明】
１  ゴースト除去手段
２  １次微分回路
３  効果可変手段
４  速度変調コイル
５  ドライブ回路
６  利得可変回路
７  周波数特性可変回路
８  コアリング量可変回路
９  振幅制限量可変回路
１０  ピーキング周波数可変回路
１１  信号処理部
１２  ＣＲＴ
【図１】
0003663915.tif 000002
【図２】
0003663915.tif 000003
【図３】
0003663915.tif 000004
【図４】
0003663915.tif 000005
【図５】
0003663915.tif 000006
【図６】
0003663915.tif 000007